【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】記録可能な記憶媒体における欠陥を検出する方法およびシステム
【手続補正２】
【補正対象書類名】明細書
【補正対象項目名】特許請求の範囲
【補正方法】変更
【補正の内容】
【特許請求の範囲】
【請求項１】  記録可能な記憶媒体における欠陥を検出する方法であって、
前記記録可能な記憶媒体の一部分に記録されたマルチメディア・データのセグメントにアクセスするステップと、  
前記一部分に欠陥が含まれているかどうかを判断するために、前記セグメントを選択的に検査するステップと、
欠陥が検出されると、訂正処理を実行するステップと、
から成り、
前記訂正処理は、
欠陥メッセージを発生すること、
前記記録可能な記憶媒体の一部分のアドレスをテーブルに記憶すること、
前記マルチメディア・データのセグメントを、前記記録可能な記憶媒体の新しい部分に書き込むこと、または
前記選択的に検査するステップを変更すること、
から成るグループから選択される１つまたはそれ以上の訂正処理である、前記記録可能な記憶媒体における欠陥を検出する方法。
【請求項２】  前記アクセスするステップが、前記マルチメディア・データのセグメントを記録可能な記憶媒体の前記一部分に記録するステップを含む、請求項１記載の記録可能な記憶媒体における欠陥を検出する方法。
【請求項３】  前記選択的に検査するステップが、
前記セグメントを選択的に読み取るステップと、
前記セグメントにおける少なくとも１つの誤りを発見するために、少なくとも１つの誤り訂正標識を選択的に処理するステップと、
を含む、請求項１記載の記録可能な記憶媒体における欠陥を検出する方法。
【請求項４】  前記誤りが、訂正可能であり、前記誤りの数が、所定の閾値に達している、請求項３記載の記録可能な記憶媒体における欠陥を検出する方法。
【請求項５】  前記誤りが、訂正不可能である、請求項３記載の記録可能な記憶媒体における欠陥を検出する方法。
【請求項６】  前記選択的に読み取るステップおよび前記選択的に処理するステップは、前記誤りが訂正されるまで繰り返されるか、または所定の回数繰り返される、請求項５記載の記録可能な記憶媒体における欠陥を検出する方法。
【請求項７】  前記記録可能な記憶媒体は、前記選択的に読み取るステップの間、回転するディスクであり、前記選択的に読み取るステップは、前記選択的に読み取るステップに先立ち、前記ディスクの速度を遅くするステップを含む、請求項６記載の記録可能な記憶媒体における欠陥を検出する方法。
【請求項８】  前記選択的に読み取るステップは、前記選択的に読み取るステップの間、前記ディスクの速度をほぼ一定に維持するステップを含む、請求項７記載の記録可能な記憶媒体における欠陥を検出する方法。
【請求項９】  前記選択的に読み取るステップは、前記セグメントの少なくとも一部分をスキップするステップを含む、請求項５記載の記録可能な記憶媒体における欠陥を検出する方法。
【請求項１０】  記憶媒体装置のフロントエンド部を提供するステップを含み、前記選択的に検査するステップが、もっぱら前記フロントエンド部で実行される、請求項１記載の記録可能な記憶媒体における欠陥を検出する方法。
【請求項１１】  記録可能な記憶媒体における欠陥を検出する方法であって、
テスト・データのセグメントを、前記記録可能な記憶媒体の少なくとも一部分に書き込むステップと、
前記記録可能な記憶媒体に欠陥が含まれているかどうかを判断するために、前記テスト・データのセグメントを選択的に検査するステップと、
前記欠陥が検出されると訂正処理を実行するステップと、
から成り、
前記訂正処理は、
欠陥メッセージを発生すること、
前記記録可能な記憶媒体の前記一部分のアドレスをテーブル内に記憶すること、または
前記テスト・データの前記セグメントを前記記録可能な記憶媒体の新しい部分に書き込むこと、
から成るグループから選択される１つまたはそれ以上の訂正処理である、前記記録可能な記憶媒体における欠陥を検出する方法。
【請求項１２】  記録可能な記憶媒体における欠陥を検出するシステムであって、
前記記録可能な記憶媒体の一部分に記録されたマルチメディアのセグメントにアクセスするピックアップと、
前記メディアの一部分に欠陥が含まれているかどうかを判断するために前記セグメントを選択的に検査し、前記欠陥が検出されると訂正処理を実行するためのコントローラと、
を具え、
前記訂正処理は、
欠陥メッセージを発生すること、
前記記憶媒体の前記一部分のアドレスをテーブル内に記憶すること、
マルチメディア・データのセグメントを、前記記憶媒体の新しい部分に書き込むこと、または
前記選択的に検査するステップを変更すること、
から成るグループから選択される１つまたはそれ以上の訂正処理である、前記記録可能な記憶媒体における欠陥を検出するシステム。
【請求項１３】  前記ピックアップが、前記マルチメディアのセグメントを前記記録可能な記憶媒体の前記一部分に記録する、請求項１２記載の記録可能な記憶媒体における欠陥を検出するシステム。
【請求項１４】  前記コントローラが、
フロントエンド・プロセッサと、
バックエンド・プロセッサと、
を具える、請求項１２記載の記録可能な記憶媒体における欠陥を検出するシステム。
【請求項１５】  前記フロントエンド・プロセッサが、
セグメントを選択的に読み取り、且つ
前記セグメント内にある少なくとも１つの誤り訂正標識を選択的に処理して、前記セグメント内の少なくとも１つの誤りを発見するようにプログラムされる、請求項１４記載の記録可能な記憶媒体における欠陥を検出するシステム。
【請求項１６】  前記誤りが、訂正可能であり、前記誤りの数が、所定の閾値に達している、請求項１５記載の記録可能な記憶媒体における欠陥を検出するシステム。
【請求項１７】  前記誤りが、訂正不可能である、請求項１５記載の記録可能な記憶媒体における欠陥を検出するシステム。
【請求項１８】  前記選択的に読み取り、且つ前記選択的に処理する動作を、前記誤りが訂正されるまで繰り返すか、または所定の回数繰り返すように前記フロントエンド・プロセッサがプログラムされる、請求項１７記載の記録可能な記憶媒体における欠陥を検出するシステム。
【請求項１９】  前記記録可能な記憶媒体は、回転するディスクであり、前記セグメントは選択的に読み取られ、前記バックエンド・プロセッサは、前記セグメントが選択的に読み取られる前に、前記ディスクの速度を遅くするようにプログラムされる、請求項１５記載の記録可能な記憶媒体における欠陥を検出するシステム。
【請求項２０】  前記セグメントが、選択的に読み取られる際に、前記ディスクの速度をほぼ一定に維持するように前記バックエンド・プロセッサがプログラムされる、請求項１９記載の記録可能な記憶媒体における欠陥を検出するシステム。
【請求項２１】  前記フロントエンド・プロセッサが、前記セグメントの少なくとも一部分をスキップするようにプログラムされる、請求項１７記載の記録可能な記憶媒体における欠陥を検出するシステム。
【請求項２２】  記録可能な記憶媒体における欠陥を検出するシステムであって、
テスト・データのセグメントを、前記記録可能な記憶媒体の少なくとも一部分に書き込むピックアップと、
前記記録可能な記憶媒体に前記欠陥が含まれているかどうかを確かめるために、前記テスト・データのセグメントを選択的に検査するようにプログラムされるフロントエンド・プロセッサと、
前記欠陥が検出されると、訂正処理を実行するようにプログラムされるバックエンド・プロセッサと、
を具え、
前記訂正処理は、
欠陥メッセージを発生すること、
前記記憶媒体の一部分のアドレスをテーブル内に記憶すること、または
マルチメディアのセグメントを前記記録可能な記憶媒体の新しい部分に書き込むように前記ピックアップに命令すること、
から成るグループから選択される１つまたはそれ以上の変更手段である、前記記録可能な記憶媒体における欠陥を検出するシステム。
【手続補正３】
【補正対象書類名】明細書
【補正対象項目名】０００８
【補正方法】変更
【補正の内容】
【０００８】
また、本発明は、記録可能な記憶媒体における欠陥を検出するシステムに関する。このシステムは、記録可能な記憶媒体の一部に記録されたマルチメディア・データの１セグメントにアクセスするためのピックアップと、前記第１の部分に欠陥が含まれているかどうかを確かめるために、前記セグメントを選択的に検査し、もし欠陥が検出されると、訂正処理を実行するためのコントローラを含む。前記訂正処理は、欠陥メッセージを発生すること、前記記憶媒体の前記部分のアドレスをテーブル内に記憶すること、マルチメディア・データの前記セグメントを前記記憶媒体の新しい部分に書き込むこと、あるいは前記選択的に検査するステップを変更することから成るグループから選択される１つまたはそれ以上の訂正処理である。また、このシステムは、上述した方法を実施するために適当なソフトウェアおよび回路を含む。
特許請求の範囲と実施例との対応関係を実施例で使われている参照符号を用いて示すと以下の通りである。
（請求項１）  記録可能な記憶媒体における欠陥を検出する方法であって、
前記記録可能な記憶媒体の一部分に記録されたマルチメディア・データのセグメントにアクセスするステップ（２１２）と、  
前記一部分に欠陥が含まれているかどうかを判断するために、前記セグメントを選択的に検査するステップ（２１４）と、
欠陥が検出される（２１６、ＹＥＳ）と、訂正処理を実行するステップ（２２２）と、
から成り、
前記訂正処理は、
欠陥メッセージを発生すること、
前記記録可能な記憶媒体の一部分のアドレスをテーブルに記憶すること、
前記マルチメディア・データのセグメントを、前記記録可能な記憶媒体の新しい部分に書き込むこと、または
前記選択的に検査するステップを変更すること、
から成るグループから選択される１つまたはそれ以上の訂正処理である、前記記録可能な記憶媒体における欠陥を検出する方法。
（請求項２）  前記アクセスするステップ（２１２）が、前記マルチメディア・データのセグメントを記録可能な記憶媒体の前記一部分に記録するステップを含む、請求項１記載の記録可能な記憶媒体における欠陥を検出する方法。
（請求項３）  前記選択的に検査するステップ（２１４）が、
前記セグメントを選択的に読み取るステップと、
前記セグメントにおける少なくとも１つの誤りを発見するために、少なくとも１つの誤り訂正標識を選択的に処理するステップと、を含む、請求項１記載の記録可能な記憶媒体における欠陥を検出する方法。
（請求項４）  前記誤りが、訂正可能であり、前記誤りの数が、所定の閾値に達している、請求項３記載の記録可能な記憶媒体における欠陥を検出する方法。
（請求項５）  前記誤りが、訂正不可能である、請求項３記載の記録可能な記憶媒体における欠陥を検出する方法。
（請求項６）  前記選択的に読み取るステップおよび前記選択的に処理するステップは、前記誤りが訂正されるまで繰り返されるか、または所定の回数繰り返される、請求項５記載の記録可能な記憶媒体における欠陥を検出する方法。
（請求項７）  前記記録可能な記憶媒体は、前記選択的に読み取るステップの間、回転するディスク（１０２）であり、前記選択的に読み取るステップは、前記選択的に読み取るステップに先立ち、前記ディスクの速度を遅くするステップを含む、請求項６記載の記録可能な記憶媒体における欠陥を検出する方法。
（請求項８）  前記選択的に読み取るステップは、前記選択的に読み取るステップの間、前記ディスク（１０２）の速度をほぼ一定に維持するステップを含む、請求項７記載の記録可能な記憶媒体における欠陥を検出する方法。
（請求項９）  前記選択的に読み取るステップは、前記セグメントの少なくとも一部分をスキップするステップを含む、請求項５記載の記録可能な記憶媒体における欠陥を検出する方法。
（請求項１０）  記憶媒体装置のフロントエンド部（１１１）を提供するステップを含み、前記選択的に検査するステップが、もっぱら前記フロントエンド部で実行される、請求項１記載の記録可能な記憶媒体における欠陥を検出する方法。
（請求項１１）  記録可能な記憶媒体における欠陥を検出する方法であって、
テスト・データのセグメントを、前記記録可能な記憶媒体の少なくとも一部分に書き込むステップ（２１２）と、
前記記録可能な記憶媒体に欠陥が含まれているかどうかを判断するために、前記テスト・データのセグメントを選択的に検査するステップ（２１４）と、
前記欠陥が検出される（２１６、ＹＥＳ）と訂正処理を実行するステップ（２２２）と、から成り、
前記訂正処理は、
欠陥メッセージを発生すること、
前記記録可能な記憶媒体の前記一部分のアドレスをテーブル内に記憶すること、または
前記テスト・データの前記セグメントを前記記録可能な記憶媒体の新しい部分に書き込むこと、
から成るグループから選択される１つまたはそれ以上の訂正処理である、前記記録可能な記憶媒体における欠陥を検出する方法。
（請求項１２）  記録可能な記憶媒体における欠陥を検出するシステムであって、
前記記録可能な記憶媒体（１０２）の一部分に記録されたマルチメディアのセグメントにアクセスするピックアップ（１０８）と、
前記メディアの一部分に欠陥が含まれているかどうかを判断するために前記セグメントを選択的に検査し、前記欠陥が検出されると訂正処理を実行するためのコントローラ（１０１）と、を具え、
前記訂正処理は、
欠陥メッセージを発生すること、
前記記憶媒体の前記一部分のアドレスをテーブル内に記憶すること、
マルチメディア・データのセグメントを、前記記憶媒体の新しい部分に書き込むこと、または
前記選択的に検査するステップを変更すること、
から成るグループから選択される１つまたはそれ以上の訂正処理である、前記記録可能な記憶媒体における欠陥を検出するシステム。
（請求項１３）  前記ピックアップ（１０８）が、前記マルチメディアのセグメントを前記記録可能な記憶媒体の前記一部分に記録する、請求項１２記載の記録可能な記憶媒体における欠陥を検出するシステム。
（請求項１４）  前記コントローラが、
フロントエンド・プロセッサ（１０９）と、
バックエンド・プロセッサ（１３４）と、
を具える、請求項１２記載の記録可能な記憶媒体における欠陥を検出するシステム。
（請求項１５）  前記フロントエンド・プロセッサが、
セグメントを選択的に読み取り、且つ
前記セグメント内にある少なくとも１つの誤り訂正標識を選択的に処理して、前記セグメント内の少なくとも１つの誤りを発見するようにプログラムされる、請求項１４記載の記録可能な記憶媒体における欠陥を検出するシステム。
（請求項１６）  前記誤りが、訂正可能であり、前記誤りの数が、所定の閾値に達している、請求項１５記載の記録可能な記憶媒体における欠陥を検出するシステム。
（請求項１７）  前記誤りが、訂正不可能である、請求項１５記載の記録可能な記憶媒体における欠陥を検出するシステム。
（請求項１８）  前記選択的に読み取り、且つ前記選択的に処理する動作を、前記誤りが訂正されるまで繰り返すか、または所定の回数繰り返すように前記フロントエンド・プロセッサ（１０９）がプログラムされる、請求項１７記載の記録可能な記憶媒体における欠陥を検出するシステム。
（請求項１９）  前記記録可能な記憶媒体（１０２）は、回転するディスクであり、前記セグメントは選択的に読み取られ、前記バックエンド・プロセッサ（１３４）は、前記セグメントが選択的に読み取られる前に、前記ディスクの速度を遅くするようにプログラムされる、請求項１５記載の記録可能な記憶媒体における欠陥を検出するシステム。
（請求項２０）  前記セグメントが、選択的に読み取られる際に、前記ディスクの速度をほぼ一定に維持するように前記バックエンド・プロセッサ（１３４）がプログラムされる、請求項１９記載の記録可能な記憶媒体における欠陥を検出するシステム。
（請求項２１）  前記フロントエンド・プロセッサ（１０９）が、前記セグメントの少なくとも一部分をスキップするようにプログラムされる、請求項１７記載の記録可能な記憶媒体における欠陥を検出するシステム。
（請求項２２）  記録可能な記憶媒体（１０２）における欠陥を検出するシステムであって、
テスト・データのセグメントを、前記記録可能な記憶媒体の少なくとも一部分に書き込むピックアップ（１０８）と、
前記記録可能な記憶媒体に前記欠陥が含まれているかどうかを確かめるために、前記テスト・データのセグメントを選択的に検査するようにプログラムされるフロントエンド・プロセッサ（１０９）と、
前記欠陥が検出されると、訂正処理を実行するようにプログラムされるバックエンド・プロセッサ（１３４）と、を具え、
前記訂正処理は、
欠陥メッセージを発生すること、
前記記憶媒体の一部分のアドレスをテーブル内に記憶すること、または
マルチメディアのセグメントを前記記録可能な記憶媒体の新しい部分に書き込むように前記ピックアップに命令すること、
から成るグループから選択される１つまたはそれ以上の変更手段である、前記記録可能な記憶媒体における欠陥を検出するシステム。